(57)【要約】【課題】自宅で安眠しながら牽引治療できる整体用牽引装置を実現する。【解決手段】先端部分に突起部11を設けたベース板１と、これによって形成される隅部を支点としてベース板１の上に傾斜して載置された傾斜板２と、この傾斜板２の末端部を持ち上げて支持する支柱21と、この上に上面が水平となるよう載置され、上面に枕を載置可能なスライド板３と、このスライド板３を傾斜板２の坂上方向に引き上げようとする戻しばね33とからなり、患者の頭部の重量により牽引力を発生するようにしたことを特徴とする。【選択図】        図１
2004187919.tif 000002
【特許請求の範囲】
【請求項１】
先端部分に突起部 (11）を設けてなるベース板（１）と、この突起部（11）によって形成される隅部を支点としてベース板（１）の上に傾斜して載置され上面にガイドレール（22）を備える傾斜板（２）と、この傾斜板（２）の末端部を持ち上げて支持する支柱（21）と、前記ガイドレール（22）上に取り付け部の脚長を変えた 2対の車輪（32a 、32b ）によって上面が略水平となるように載置され、末端に係止突起（31）を備え、上面に患者の頭部を支える枕を載置可能なスライド板（３）と、このスライド板（３）を傾斜板（２）の坂上方向に引き上げようとする戻しばね（33）とからなり、患者の頭部の重量により牽引力を発生するようにしたことを特徴とするる整体用牽引装置。
【請求項２】
先端部分および中間部に突起部 (11a 、11b ）を設けてなるベース板（１）と、この突起部（11a 、11b ）によって形成される隅部を支点としてベース板（１）の上に傾斜して載置され上面にガイドレール（22）を備える２枚の傾斜板（2a、2b）と、この傾斜板（2a、2b）の末端部をそれぞれ持ち上げて支持する２基の支柱（21a 、21b ）と、前記ガイドレール（22）上に２対の車輪（32a 、32b ）によって上面が略水平となるように載置され、末端に係止突起（31）を備え、上面に患者の頭部を支える枕を載置可能なスライド板（３）と、このスライド板（３）を傾斜板（2a、2b）の坂上方向に引き上げようとする戻しばね（33）とからなり、患者の頭部の重量により牽引力を発生するようにしたことを特徴とするる整体用牽引装置。
【請求項３】
前記支柱（21、21a 、21b ）が高さ調節機構により高さ変更自在となっている請求項１または２に記載の整体用牽引装置。
【発明の詳細な説明】
【０００１】
【発明の属する技術分野】
本発明は、むち打ち症の治療などに好適な整体用牽引装置に関する。
【０００２】
【従来の技術】
むち打ち症等で首の頸椎を痛めた場合、首を牽引して矯正する整体治療が一般に行われている。通常は病院などの治療施設において、ベッドに取り付けられた牽引装置により行うのであるが、一定時間牽引を行わないと効果が得られないため通院時間が長くなり、しかも長期間にわたって通院しなければならず大きな負担を強いられるのが実情であった。
【０００３】
こうした問題点を解消し、通院せずに自宅で寝ながら治療できることを目的とした整体用牽引装置が開発され、特許文献１に記載されている。図２、図３によりこれを説明する。
図３はこの整体用牽引装置を示す斜視図、図４は図３の整体用牽引装置で首を牽引している状態を示す側面図で、１はベース板、12はその上面に設けられたガイドレール、３はガイドレール12に沿って矢印方向に移動するスライド板、31はその一端の上面に設けられた係止突起、32はスライド板３の下面に取り付けられた車輪、34はスライド板３の上方に設けられた締め付けバンド、４はスタンド、41は支持台、42は滑車、43はロープ、44はウエイトで、滑車42、ロープ43を介してウエイト44の重量でスライド板３を矢印方向に方向に牽引し、図３に示すようにスライド板３に載せている患者の頭部Ｈを牽引するのである。牽引力はウエイト44の重量を変えることによって調整する。５は装置全体を固定するため敷布団の下に敷く固定板である。
【０００４】
通院せずに自宅で寝ながら牽引治療ができるという点において特許文献１に記載のこの発明は大きな効果が認められるものの、ウエイト44を使用する牽引力発生機構は自宅に設置するにはややものものしく、安眠できないうらみがあり、日常の睡眠時間を利用して牽引治療できる整体用牽引装置としてはまだ問題がある。
【０００５】
【特許文献１】
特開平９−１０３４４４号公報（第１−４頁、図１、２）
【０００６】
【発明が解決しようとする課題】
本発明は、より簡単な構造で牽引力を発生させ、かつ調整できるようにした整体用牽引装置を実現することを目的とする。
【０００７】
【課題を解決するための手段】
本発明は、先端部分に突起部を設けてなるベース板と、この突起部によって形成される隅部を支点としてベース板１の上に傾斜して載置され上面にガイドレールを備える傾斜板と、この傾斜板の末端部を持ち上げて支持する支柱と、前記ガイドレール上に取り付け部の脚長を変えた２対の車輪によって上面が略水平となるように載置され、末端に係止突起を備え、上面に患者の頭部を支える枕を載置可能なスライド板と、このスライド板を傾斜板の坂上方向に引き上げようとする戻しばねとからなり、患者の頭部の重量により牽引力を発生するようにしたことを特徴とする整体用牽引装置であり、あるいは先端部分および中間部に突起部を設けてなるベース板と、この突起部によって形成される隅部を支点としてベース板の上に傾斜して載置され上面にガイドレールを備える２枚の傾斜板と、この傾斜板の末端部をそれぞれ持ち上げて支持する２基の支柱と、前記ガイドレール上に２対の車輪によって上面が略水平となるように載置され、末端に係止突起を備え、上面に患者の頭部を支える枕を載置可能なスライド板と、このスライド板を傾斜板の坂上方向に引き上げようとする戻しばねとからなり、患者の頭部の重量により牽引力を発生するようにしたことを特徴とする整体用牽引装置であり、望ましくは前記支柱が高さ調節機構により高さ変更自在となっている前記の整体用牽引装置である。
【０００８】
【発明の実施の形態】
本発明によれば、患者の頭部を支える枕を載せたスライド板は、身長方向に下り勾配となった傾斜板上に、車輪によってスライド可能に置かれるので、患者の頭部の重量によって牽引力が発生し、しかも支柱が高さ変更自在となっている場合においては傾斜板の傾斜角度を変更することによりこの牽引力を調整することもできる。
【０００９】
従来技術において示したようなウエイト等を使用しないから構造が簡単で威圧感もなく、通常の睡眠と変わらない状態で安眠のうちに治療ができる。
【００１０】
【実施例】
本発明の一実施例を図１に示す。この図は整体用牽引装置を示す側面図で、これまでの説明と共通するものについては同一符号を使用している他、11はベース板１の先端部分に設けられた突起部、２はこの突起部11を支点としてベース板１の上に傾斜角度変更自在に載置された傾斜板、21は傾斜板２の前記支点と反対側を支持する支柱、22は傾斜板２上面に設けられたガイドレール、33は戻しばねである。
【００１１】
すなわちこの整体用牽引装置は、先端部分に突起部11を設けてなるベース板１と、この突起部11によって形成される隅部を支点としてベース板１の上に傾斜して載置され上面にガイドレール22を備える傾斜板２と、傾斜板２の末端部を持ち上げて支持する支柱21と、前記ガイドレール22上に取り付け脚長を変えた車輪32によって上面が略水平となるように載置され、末端に係止突起31を備え、上面に患者の頭部を支える枕を載置可能なスライド板３と、このスライド板３を傾斜板２の坂上方向に引き上げようとする戻しばね33とからなり、患者の頭部の重量そのものにより図１の矢印方向に牽引力を発生するようにしたことを特徴とする。
【００１２】
この実施例では、前記支柱21はねじ軸とナットからなる高さ調節機構により高さ変更自在となっているが、長さの異なる複数の支柱を用意するなど、他の高さ調節機構を採用することも任意である。また、傾斜板２の支点としてベース板１と傾斜板２とを蝶番で連結してもよい。
傾斜板２の傾斜角度は20度以上あることが好ましいが、上記の高さ調節機構で不十分なばあい、車輪の取り付け脚に同様の調節機構を設けてもよい。
【００１３】
スライド板３の２対の車輪32a 、32b は、スライド板３の上面が略水平となるよう、取り付け部の脚長を変えているが、上に枕が載るのでスライド板３の上面は厳密な水平である必要はなく、このための脚長の調整機構は、通常は不要である。なお、脚長を変えるには、図１に示したように脚長そのものを変えてもよいが、脚は同じとして車輪径を変えてもよい。
【００１４】
本発明の変形実施例を図２に示す。この実施例では傾斜板を２枚に分割し、それぞれに突起部と支柱を設けている。このようにすると、構造はやや複雑になるが装置全体の高さを小さくすることができる。また２対の車輪32a 、32b の脚長を変える必要がない。
なお、以上「車輪」として説明したが、かならずしも回転する車輪に限定する必要はなく、摩擦の少ない樹脂などを貼り付けたシュー等で代用することも可能である。
【００１５】
【発明の効果】
本発明によれば、自宅において、通常の睡眠と変わらない状態で安眠のうちにむち打ち症等の治療ができ、患者の肉体的、時間的、経済的負担が大幅に軽減されるという、すぐれた効果を奏する。
【図面の簡単な説明】
【図１】本発明の実施例の整体用牽引装置を示す側面図である。
【図２】本発明の整体用牽引装置の変形実施例を示す側面図である。
【図３】従来の技術の整体用牽引装置を示す斜視図である。
【図４】従来の技術の整体用牽引装置の使用状況を示す側面図である。
【符号の説明】
１    ベース板
２、2a、2b    傾斜板
３    スライド板
４    スタンド
５    固定板
11、11a 、11b     突起部
12、 22    ガイドレール
21、21a 、21b     支柱
31    係止突起
32a 、32b     車輪
33    戻しばね
34    締め付けバンド
41    支持台
42    滑車
43    ロープ
44    ウエイト
Ｈ    頭部
【図１】
2004187919.tif 000003
【図２】
2004187919.tif 000004
【図３】
2004187919.tif 000005
【図４】
2004187919.tif 000006